【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
表示手段に表示された表示対象上の位置を指定して指定位置を移動させるユーザー操作を受け付け可能な受付手段と、
前記表示対象の全体が表示される第１の倍率よりも高い第２の倍率で前記表示対象が表示されている場合に、前記ユーザー操作によって前記表示対象の表示範囲の縁部内に前記指定位置が移動したことに応じて、前記表示範囲の位置を前記指定位置に応じた方向に変更するとともに、前記表示対象の表示倍率を、前記第１の倍率よりも高く且つ前記第２の倍率よりも低い倍率に下げるように制御する制御手段と、
を有することを特徴とする電子機器。
【請求項２】
前記制御手段は、前記ユーザー操作が終了したことに応じて前記表示倍率を前記第２の倍率に戻すように制御する
ことを特徴とする請求項１に記載の電子機器。
【請求項３】
前記制御手段は、前記ユーザー操作が終了してから無操作で所定時間が経過したことに応じて、前記表示倍率を前記第２の倍率に戻すように制御する
ことを特徴とする請求項１に記載の電子機器。
【請求項４】
前記制御手段は、前記ユーザー操作が終了してから前記第２の倍率に戻す指示操作があったことに応じて、前記表示倍率を前記第２の倍率に戻すように制御する
ことを特徴とする請求項１または３に記載の電子機器。
【請求項５】
前記制御手段は、前記表示倍率を前記第２の倍率に戻す場合に、前記表示範囲の位置を前記指定位置に応じた位置に変更するように制御する
ことを特徴とする請求項２乃至４のいずれか１項に記載の電子機器。
【請求項６】
前記制御手段は、前記表示倍率を前記第２の倍率に戻す場合に、前記表示範囲の位置を前記ユーザー操作が行われる前の元の位置に変更するように制御する
ことを特徴とする請求項２乃至４のいずれか１項に記載の電子機器。
【請求項７】
前記制御手段は、
前記ユーザー操作が終了してから所定時間以内に前記表示範囲の位置を前記ユーザー操作が行われる前の元の位置に戻す指示操作が行われた場合には、前記表示倍率を前記第２の倍率に戻すとともに前記表示範囲の位置を前記ユーザー操作が行われる前の元の位置に変更するように制御し、
前記ユーザー操作が終了してから無操作で前記所定時間が経過した場合は、前記表示倍率を前記第２の倍率に戻すとともに前記表示範囲の位置を前記指定位置に応じた位置に変更するように制御する
ことを特徴とする請求項１または４に記載の電子機器。
【請求項８】
前記制御手段は、前記ユーザー操作が終了してから前記第２の倍率に戻す前に、前記表示倍率を前記第２の倍率に戻した後の表示範囲を示すインジケーターを表示するように制御する
ことを特徴とする請求項１，３，４，７のいずれか１項に記載の電子機器。
【請求項９】
前記制御手段は、前記ユーザー操作が終了したことに応じて、前記表示倍率を前記第２の倍率に戻すか否かをユーザーに問い合わせるように制御する
ことを特徴とする請求項１，３，４，７，８のいずれか１項に記載の電子機器。
【請求項１０】
前記表示倍率を前記第２の倍率に戻すか否かの問い合わせは、前記表示範囲の位置を前記指定位置に応じた位置に変更するとともに前記表示倍率を前記第２の倍率に戻すか否かの問い合わせである
ことを特徴とする請求項９に記載の電子機器。
【請求項１１】
前記制御手段は、前記縁部内に移動した前記指定位置が前記縁部内に存在する間は、前記表示範囲の位置を徐々に変更するとともに前記表示倍率を徐々に下げるように制御することを特徴とする請求項１〜１０のいずれか１項に記載の電子機器。
【請求項１２】
前記制御手段は、前記表示範囲の位置を前記指定位置に応じた方向に変更し且つ前記表示対象の表示倍率を前記第２の倍率から下げた後の表示範囲が元の表示範囲を含むように制御する
ことを特徴とする請求項１〜１１のいずれか１項に記載の電子機器。
【請求項１３】
前記縁部は、前記表示対象の前記表示手段における表示領域の中央領域を除く、前記表示領域の端から内側に所定範囲の領域である
ことを特徴とする請求項１〜１２のいずれか１項に記載の電子機器。
【請求項１４】
前記縁部は、前記表示対象の前記表示手段における表示領域の中央領域を除く、前記表示領域の端から外側に所定範囲を含む領域である
ことを特徴とする請求項１〜１２のいずれか１項に記載の電子機器。
【請求項１５】
前記表示対象に重畳して特定の表示アイテムを表示し、前記ユーザー操作による前記指定位置の移動に伴って前記表示アイテムの表示位置を変更するように制御する表示制御手段を更に有する
ことを特徴とする請求項１〜１４のいずれか１項に記載の電子機器。
【請求項１６】
前記表示対象は撮像手段で撮像された画像、あるいは再生された画像である
ことを特徴とする請求項１〜１５のいずれか１項に記載の電子機器。
【請求項１７】
前記表示対象は地図である
ことを特徴とする請求項１〜１５のいずれか１項に記載の電子機器。
【請求項１８】
表示手段に表示された表示対象上の位置を指定して指定位置を移動させるユーザー操作を受け付けるステップと、
前記表示対象の全体が表示される第１の倍率よりも高い第２の倍率で前記表示対象が表示されている場合に、前記ユーザー操作によって前記表示対象の表示範囲の縁部内に前記指定位置が移動したことに応じて、前記表示範囲の位置を前記指定位置に応じた方向に変更するとともに、前記表示対象の表示倍率を、前記第１の倍率よりも高く且つ前記第２の倍率よりも低い倍率に下げるように制御するステップと、
を有することを特徴とする電子機器の制御方法。
【請求項１９】
コンピュータを、請求項１〜１７のいずれか１項に記載の電子機器の各手段として機能させるためのプログラム。
【請求項２０】
コンピュータを、請求項１〜１７のいずれか１項に記載の電子機器の各手段として機能させるためのプログラムを格納したコンピュータが読み取り可能な記憶媒体。
【手続補正２】
【補正対象書類名】明細書
【補正対象項目名】００５０
【補正方法】変更
【補正の内容】
【００５０】
Ｓ３２５では、ＣＰＵ１０１は、タッチアップのタイミングからカウントを開始するタイマーがタイムアウトしたか否かを判定する。タイムアウトした場合（すなわち、タッチアップから所定時間（１〜５秒程度）が経過するまで無操作であった場合）にはＳ３２３に進み、そうでない場合にはＳ３２６に進む。このように、ユーザーからの明示的な指示がなくとも、所定時間が経過すれば表示倍率をタッチ操作前の表示倍率Ｍ０に戻す。これによって表示倍率を表示倍率Ｍ０に戻す指示操作を省くことができる。このタイムアウト処理があるので、Ｓ３２１では指示アイテムを表示しないものとしてもよい。このようなタイマーを設けたのは、ユーザーが、タッチアップ後に、Ｓ３１４で縮小されたＬＶ画像を見て、表示アイテムを重畳表示する位置を指定するためにタッチ操作を再び行う可能性があるためである。Ｓ３１４で縮小されたＬＶ画像上で指定したい位置を認識したユーザーが指定したい位置をタッチしようとして一旦タッチアップした時点で表示倍率が元の表示倍率Ｍ０に戻ると、ユーザーが指定したい位置を見失う虞がある。Ｓ３２５では、タッチアップ後も所定時間が経過するまでは表示範囲（表示倍率）を変更しないことで、続けて位置指定操作を行おうとするユーザーが指定したかった位置を見失ってしまうことを防ぐ。